(57)【要約】      （修正有）【課題】  弾性力で落石防止部材に安定した張力を付与するとともに,落石抑止力を常時把握ことができ、異常時の発見も直ちに把握することができる落下防止工法及び装置の提供。【解決手段】  傾斜面１上に落石防止部材３を張設し、該落石防止部材３を地面に設けた一端側固定具４、他端側固定具５に接続する。落石防止部材３の一端３Ａと一端側固定具４との間に緊張装置７を設け、落石防止部材３の他端３Ｂと他端側固定具５との間に張力付与装置８を設け、落石防止部材３に張力を発生させる。コイルばねと一体的な摺動軸27に該コイルばねの張力表示部を設ける。落石防止部材３にコイルばねによって張力を常時付与することにより、さらにコイルばねの弾性力は安定した品質を有するため落石防止の品質を保つことができる。張力表示部により張力をいつも目視で確認できる。【選択図】図１
2006291542.tif 000002
【特許請求の範囲】
【請求項１】
傾斜面上に複数のロープ部材やネット等の落石防止部材を張設し、該落石防止部材を地盤に設けた固定具に接続した落石防止工法において、前記落石防止部材にばねによって張力を常時付与することを特徴とする落石防止工法。
【請求項２】
傾斜面上に複数のロープ部材やネット等の落石防止部材を張設し、該落石防止部材を地面に設けた固定具に接続した落石防止装置において、前記落石防止部材の一端と一端側固定具との間に緊張装置を設け、前記落石防止部材の他端と他端側側固定具との間に張力付与装置を設けたことを特徴とする落石防止装置。
【請求項３】
前記張力付与装置は落石防止部材の一端側にばねの一端側を接続し、該ばねの他端を前記他端側固定具に接続したことを特徴とする請求項２記載の落石防止装置。
【請求項４】
前記ばねと一体的に該ばねの張力表示部を設けたことを特徴とする請求項３記載の落石防止装置。
【発明の詳細な説明】
【技術分野】
【０００１】
本発明は、落石防止工法及び落石防止装置に関するものである。
【背景技術】
【０００２】
従来、浮き石等と称せられる落下のおそれがある岩石が点在する傾斜面上に複数のワイヤーロープを張設し、これらワイヤーロープを傾斜面に打ち込んだアンカーにより傾斜面に係止させた工法や、傾斜面における落石発生防止として傾斜面の全体を金網で覆って、この金網で落石の発生を防止する工法が公知である（例えば特許文献１）。
【特許文献１】実開平５−４２３０９号公報
【発明の開示】
【発明が解決しようとする課題】
【０００３】
従来技術においては、傾斜面に打ち込んだアンカーにワイヤーロープや金網の端を接続するというものであるが、このような工法においてはワイヤーロープや金網に設置当初においては所定の張力を付与する場合、付与した張力測定のための装置を必要とする。さらに付与した張力も経年変化によってワイヤーロープや金網の張力が緩んでしまい、この結果落石防止作用が低下するというおそれがある。
【０００４】
解決しようとする問題点は、落石防止部材に所定の張力測定を付与する場合、特別な張力測定のための装置を必要としないで落石防止部材に所定の張力を付与できることと、落石防止部材に安定した張力を付与する落石防止工法及び落石防止装置を提供する点である。
【課題を解決するための手段】
【０００５】
請求項１の発明は、傾斜面上に複数のロープ部材やネット等の落石防止部材を張設し、該落石防止部材を地盤に設けた固定具に接続した落石防止工法において、前記落石防止部材にばねによって張力を常時付与することを特徴とする落石防止工法である。
【０００６】
請求項２の発明は、傾斜面上に複数のロープ部材やネット等の落石防止部材を張設し、該落石防止部材を地面に設けた固定具に接続した落石防止装置において、前記落石防止部材の一端と一端側固定具との間に緊張装置を設け、前記落石防止部材の他端と他端側側固定具との間に張力付与装置を設けたことを特徴とする落石防止装置である。
【０００７】
請求項３の発明は、前記張力付与装置は落石防止部材の一端側にばねの一端側を接続し、該ばねの他端を前記他端側固定具に接続したことを特徴とする請求項２記載の落石防止装置である。
【０００８】
請求項４の発明は、前記ばねと一体的に該ばねの張力表示部を設けたことを特徴とする請求項３記載の落石防止装置である。
【発明の効果】
【０００９】
請求項１の発明によれば、ばねの弾性力で落石防止部材に安定した張力を付与でき、さらにばねにより落石防止の安定した品質を保つことができる。
【００１０】
請求項２の発明によれば、従来技術では落石防止部材に所定の張力を付与する際において落石防止部材の張力を測定するための装置を必要とするが、本発明においてはそれら落石防止部材の張力を測定するための装置を必要とせずに、該落石防止部材に所定の張力を付与することができる。また、落石防止部材に張力を発生させることで、落石防止装置の品質を保つことができる。
【００１１】
請求項３の発明によれば、ばねの弾性力で落石防止部材に安定した張力を付与でき、さらにばねにより落石防止の安定した品質を保つことができる。
【００１２】
請求項４の発明によれば、張力を目視で確認でき、落石抑止力の把握や、異常時の発見を把握することができる。
【発明を実施するための最良の形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１４】
図１〜図１１は実施例１を示しており、傾斜面１上に点在する落下のおそれがある浮き石２の表面を覆うように、ワイヤーロープ等ロープ部材からなる浮き石２に接して該浮き石２の落下を防止する落石防止部材３を縦横に複数格子状に配設し、これら落石防止部材３の一端３Ａ及び他端３Ｂを傾斜面１（地盤）に打ち込んで固定したアンカー等の一端側固定具４及び他端側固定具５にそれぞれ接続して浮き石２の道路等への落下を防止している。尚、格子状に配置された落石防止部材３における交点においてはクランプ部材６によって落石防止部材３相互を固定接続しており、また落石防止部材３は金網などによって形成してもよい。
【００１５】
そして、落石防止部材３の一端３Ａと一端側固定具４との間に落石防止部材３の緊張装置７を設け、一方落石防止部材３の他端３Ｂと他側固定具５との間に落石防止部材３の張力付与装置８を設ける。
【００１６】
前記緊張装置７においては、落石防止部材３の一端３Ａを第１のピンボルト９を介して接続する第１の継手10に先端を接続したシャフト状の第１の螺子軸12が中継体を形成する第１のブレード13のほぼ中央部を摺動自在に貫通しており、第１の螺子軸12の少なくとも基端側には第１の螺子11が形成されている。この第１の螺子軸12における第１のブレード13の裏面、すなわち一端３Ａと反対側において緊張ナット14を螺着し、該緊張ナット14は第１のブレード13の裏面に係止している。さらに、アンカー接続Ｕボルトのような少なくとも先端に第２の螺子15を形成すると共に、折り返した基端16を一端側固定具４に回動自在に接続した第２の螺子軸17を、第１のブレード13の裏面側に配置すると共に、第１のブレード13の左右両側に左右一対の第２の螺子15を摺動自在に貫通し、そしてこの第２の螺子15に第１のブレード13の表面側よりストッパーナット18を螺合している。
【００１７】
前記一端側固定具４は、他側固定具５と同様に傾斜面１に設置する接地プレート19の中央に形成した貫通孔20にアンカーロッド21が貫通しており、接地プレート19の上面で貫通孔20の四方には基端が回動自在に挿入可能な接続用孔等の接続受け部22等の接続受け部が形成されており、いずれか一つの接続用孔等の接続受け部22に基端16が挿入されている。そして、アンカーロッド21の上端側には抜け止め用のアンカーナット23を螺着している。尚、アンカーロッド21の中間部には提灯形をなしたスペーサー24が設けられると共に、下端に先端保護キャップ25が装着している。
【００１８】
前記張力付与装置８においては、落石防止部材３の他端３Ｂを後述する第３の継手35等を介して他端３Ｂの長手方向に移動可能な摺動軸27の先端に接続しており、この摺動軸27の基端側は、弾性体たるコイルばね28を内蔵したばね収容体としての円形筒状のケーシング29にほぼ同軸芯状に摺動自在に挿入している。ケーシング29に螺子接続される基端側蓋板部30には第２の継手26が外側に突設し、この第２の継手26側が他側固定具５に接続される。これは第２のピンボルト31と接続受け部22との間にはシャックル31Ａが介在し、さらに第２のピンボルト31に螺着したナット31Ｂにはナット抜け落ち防止のための割りピン31Ｃが差し込まれるようになっている。さらに摺動軸27の基端側にはケーシング29の内周面を同軸芯方向に摺動可能なスライド板32が設けられている。そして、摺動軸27が摺動自在に貫通するケーシング29に螺子接続される先端側蓋板部33とスライド板32との間に、コイルばね28を介在している。このコイルばね28の軸芯に摺動軸27が配置されるように摺動軸27を間隔をおいて巻くように設けられている。さらに、摺動軸27の先端側、より詳細には少なくとも摺動軸27における先端側蓋板部33より外側へ突出し得る部位の周面にはその長さ方向である軸芯方向に沿って例えば１ｍｍ間隔或いは５ｍｍ間隔や１０ｍｍ間隔のような複数の長さ目盛部によって張力表示部34が表示されている。さらに、摺動軸27の先端には第３の継手35が設けられると共に、この第３の継手35に第３のピンボルト36を介して落石防止部材３の他端３Ｂが接続している。尚、第３のピンボルト36に螺着したナット36Ｂにはナット抜け落ち防止のための割りピン36Ｃが差し込まれるようになっている。
【００１９】
次に前記構成についてその作用を説明する。浮き石２を覆うように配置した落石防止部材３の施工は、その一端３Ａを、緊張装置７を介して一端側固定具４に接続する。一方、落石防止部材３の他端３Ｂを、張力付与装置８を介して他側固定具５に接続する。
【００２０】
この際、緊張装置７における第１のピンボルト９は、落石防止部材３を第１の継手10に接続し、第１の継手10は落石防止部材３を第２の螺子軸17に接続する。さらに緊張ナット14を締めることによって第２の螺子軸17をスライドして落石防止部材３を緊張させることができる。そして、ストッパーナット18は、緊張ナット14を締めたときの反力装置となる第１のブレード13が第１の螺子軸12から抜け落ちることを防止する。また、折り返した基端16に接続される第１の螺子軸12は、接地プレート19を介してアンカーロッド21に接続されると共に、アンカーロッド21は、アンカーナット23、接地プレート19、スペーサー24と一体で一端側固定具４を構成するものであり、この一端側固定具４に第２の螺子軸17が接続されるものである。
【００２１】
一方、張力付与装置８において第２の継手26は、他側固定具５とケーシング29を接続し、スライド板32は摺動軸27とコイルばね28を一体化して、コイルばね28の動きを摺動軸27に伝達するようになっている。また、ケーシング29はコイルばね28を外部から遮断し錆や傷等の外的マイナス要因から保護し、コイルばね28はその弾性力を利用することで落石防止部材３に摺動軸27を介して張力を付与する。そして、摺動軸27はコイルばね28の伸張力を外部に仲介し落石防止部材３に張力を発生させる。第３の継手35は摺動軸27に第３のピンボルト36で落石防止部材３を接続している。
【００２２】
したがって、落石防止部材３の張力の調節にあっては、摺動軸27における先端側蓋板部33からの突出長さを長さ目盛部によって形成される張力表示部34を目視しながら、緊張装置７における緊張ナット14を締めることにより落石防止部材３の張力を所定値に調節することができる。
【００２３】
そして、傾斜面１における浮き石２の維持力が低下すると、その低下分の荷重が落石防止部材３に加わり、落石防止部材３における張力が増加する。この結果、落石防止部材３がコイルばね28の弾性力に抗して引張られ摺動軸27における先端側蓋板部33からの突出長さが大きくなり、浮き石２はコイルばね28の弾性力によって張力が大きくなった状態の落石防止部材３によって維持されることとなる。
【００２４】
このような摺動軸27における先端側蓋板部33からの突出長さが大きくなること、ひいては浮き石２の維持力の低下について、前記突出長さを長さ目盛部によってその突出長さの数値化したものを把握することができる。
【００２５】
以上のように、前記実施例においては、傾斜面１上に落石防止部材３を張設し、該落石防止部材３を傾斜面１（地盤）に設けた一端側固定具４、他端側固定具５に接続した落石防止工法において、落石防止部材３にコイルばね28によって張力を常時付与することにより、コイルばね28の弾性力で落石防止部材３に安定した張力を付与することができ、さらにコイルばね28の弾性力は安定した品質を有するため落石防止の品質を保つことができる。
【００２６】
さらに落石防止装置においては、前記落石防止部材３の一端３Ａと一端側固定具４との間に緊張装置７を設け、落石防止部材３の他端３Ｂと他端側固定具５との間に張力付与装置８を設けたことにより、落石防止部材３に張力を発生させることで、落石防止装置の品質を保つことができる。
【００２７】
また、前記張力付与装置８は落石防止部材３の一端３Ａ側に、スライド板32等を介してコイルばね28の一端を接続し、該コイルばね28の他端をケーシング29等を介して前記他端側側固定具５に接続したことにより、コイルばね28の力で落石防止部材３に安定した張力を与えることができ、さらにコイルばね28の弾性力は安定した品質を有するため落石防止の品質を保つことができる。
【００２８】
さらに、前記コイルばね28と一体的な摺動軸27に該コイルばね28の張力表示部34を設けたことにより、張力をいつも目視で確認でき、落石抑止力を常時把握できる共に、異常時の発見も直ちに把握することができる。
【００２９】
しかも、緊張装置７においては緊張ナット14を操作するだけで簡単に張力を調節でき、また緊張装置７における第１の螺子軸12は、両側に第２の螺子軸17を配置した第１のブレード13のほぼ中央を貫通することでそのスライド量を大きくして、落石防止部材３の緊張力の調節も大幅に行うことができる。
【実施例２】
【００３０】
図１２は実施例２を示しており、前記実施例１と同一部分には同一符号を付し、その詳細な説明を省略する。実施例２においては、軟弱地盤対策を行うものであり、地盤に変位防止アンカー41を設け、この変位防止アンカー41に設けた接続治具42と、接地プレート19の接続用孔等の接続受け部22とを変位防止ロープや鎖などの線状材43によって接続して、固定具５の移動を抑止するようにしたものである。
【産業上の利用可能性】
【００３１】
以上のように本発明にかかる落石防止工法及び落石防止装置は種々の用途に適用できる。
【図面の簡単な説明】
【００３２】
【図１】本発明の実施例１を示す全体斜視図である。
【図２】本発明の実施例１を示す落石防止部材まわりを示す平面図である。
【図３】本発明の実施例１を示す緊張装置の斜視図である。
【図４】本発明の実施例１を示す固定具に接続した緊張装置の一方からの斜視図である。
【図５】本発明の実施例１を示す固定具に接続した緊張装置の他方からの斜視図である。
【図６】本発明の実施例１を示す張力付与装置の斜視図であり、図６（Ａ）は一方からみた斜視図、図６（Ｂ）は他方からみた斜視図である。
【図７】本発明の実施例１を示す張力付与装置の一方からの一部切り欠き斜視図である。
【図８】本発明の実施例１を示す張力付与装置の他方からの一部切り欠き斜視図である。
【図９】本発明の実施例１を示す固定具の正面図である。
【図１０】本発明の実施例１を示す接地プレートであり、図１０（Ａ）は一部切り欠き正面図、図１０（Ｂ）は平面図である。
【図１１】本発明の実施例１を示すスペーサーであり、図１１（Ａ）は正面図、図１１（Ｂ）は平面図である。
【図１２】本発明の実施例２を示す平面図である。
【符号の説明】
【００３３】
１  傾斜面（地盤）
３  落石防止部材
３Ａ  一端
３Ｂ  他端
４  一端側固定具
５  他端側固定具
７  緊張装置
８  張力付与装置
27  摺動軸
28  コイルばね
34  張力表示部
【図１】
2006291542.tif 000003
【図２】
2006291542.tif 000004
【図３】
2006291542.tif 000005
【図４】
2006291542.tif 000006
【図５】
2006291542.tif 000007
【図６】
2006291542.tif 000008
【図７】
2006291542.tif 000009
【図８】
2006291542.tif 000010
【図９】
2006291542.tif 000011
【図１０】
2006291542.tif 000012
【図１１】
2006291542.tif 000013
【図１２】
2006291542.tif 000014